(57)【要約】【課題】本発明は、様々な形状の表示画面に合わせて、製品外形に対する画面比率を向上させ得る技術を提供することを目的としている。【解決手段】本発明の表示装置は、複数の走査線２２と複数の信号線２０との各交点に対応して、マトリクス状に画素４０が配列されている表示領域１０と、上記複数の走査線２２に選択信号を供給する走査線駆動回路１４と、上記複数の信号線に画素信号を供給する信号線駆動回路１２と、を備え、上記画素信号及び上記選択信号に基づいて上記画素を駆動する表示装置であって、上記表示領域の少なくとも一部１０ｂにおいて上記走査線と上記信号線とが斜交している。【選択図】図１
2008046598.tif 000002
【特許請求の範囲】
【請求項１】
複数の走査線と複数の信号線の各々の交点に対応した複数の画素と、
前記複数の走査線の各々に選択信号を供給する走査線駆動回路と、
前記複数の信号線の各々に画素信号を供給する信号線駆動回路と、
を有し、
表示領域において前記複数の画素はマトリクス状に配列され、
前記表示領域の少なくとも一部領域が、前記複数の走査線のうちの少なくともひとつの走査線と前記複数の信号線のうちの少なくともひとつの信号線とが斜交している領域である、
表示装置。
【請求項２】
前記複数の走査線又は前記複数の信号線の少なくとも一方が、前記一部領域とその他の領域の境界で屈曲している、
請求項１に記載の表示装置。
【請求項３】
前記表示領域の外形が八角形である、
請求項１又は請求項２に記載の表示装置。
【請求項４】
前記走査線駆動回路及び前記信号線駆動回路が、それぞれ前記表示領域の外周の少なくとも一部に沿って配設されている、
請求項３に記載の表示装置。
【請求項５】
前記複数の画素の各々の形状が矩形状であり、前記一部領域において、
前記複数の走査線又は前記複数の信号線のいずれか一方が前記複数の画素の縦辺又は横辺と並行に配置され、他方が前記複数の画素の対角線と並行に配置されている、
請求項１乃至４のいずれかに記載の表示装置。
【請求項６】
前記表示領域の外形が略正八角形であり、前記複数の走査線又は前記複数の信号線のいずれか一方が前記表示領域の外形の一辺と直交するように並設されており、前記一部領域において、前記複数の走査線と前記複数の信号線とが４５度の角度で斜交するように配置されている、
請求項１に記載の表示装置。
【請求項７】
前記一部領域は、前記複数の走査線と前記複数の信号線との斜交角度が異なる複数の領域を有する、
請求項１又は請求項２のいずれかに記載の表示装置。
【請求項８】
前記斜交角度が異なる複数の領域の隣接する各々の境界において、前記複数の走査線又は前記複数の信号線の少なくとも一方が屈曲している、
請求項７に記載の表示装置。
【請求項９】
前記表示領域に表示する画像データを格納する記憶部と、
前記記憶部を制御する画像配列変換部とを備え、
前記画像配列変換部は、
前記複数の画素の配列の並びに対応した第１の順序で前記画像データを前記記憶部に書き込むときは第１のアドレスを使用し、
前記選択信号による並びに対応した第２の順序で前記記憶部に前記画像データを書き込むときは第２のアドレスを使用し、
前記記憶部に格納された前記画像データを前記表示部に読み出すときは、前記第２のアドレスを使用する、
請求項１乃至８にいずれかに記載の表示装置。
【請求項１０】
前記記憶部は、複数の前記画像データを格納する容量を持ち、
前記記憶部の第１の記憶領域に格納された前記画像データの読出し動作と、前記第１の記憶領域と異なる第２の記憶領域への前記第１のアドレスを用いての前記画像データの書込み動作とを並列に行う、
請求項９に記載の表示装置。
【請求項１１】
第１及び第２の領域に複数の画素を配列してなる表示領域と、
前記第１及び第２の領域において一方向に延在する複数の信号線と、
前記第１の領域において前記複数の信号線の一部と直交し、前記第２の領域において、前記複数の信号線の他の一部と斜交する複数の走査線と、
前記第１及び第２領域の外周の一部に沿って配置されて前記複数の信号線に画素信号を供給する信号線駆動回路と、
前記第２の領域の外周の他の一部に沿って配置されて前記複数の走査線に選択信号を供給する走査線駆動回路と、
前記複数の走査線と前記複数の信号線との各交差部にそれぞれ設けられて前記画素信号及び前記選択信号に基づいて前記画素を駆動する複数の画素駆動回路と、
を備える表示装置。
【請求項１２】
複数の画素をマトリクス状に配置してなる八角形の表示領域と、
前記表示領域の一方向に延在する複数の信号線と、
前記表示領域の第１の領域において前記複数の信号線の一部と直交し、第２の領域において前記複数の信号線の他の一部と斜交する複数の走査線と、
前記表示領域の第１及び第２領域の外周の一部に沿って配置されて前記複数の信号線に画素信号を供給する信号線駆動回路と、
前記表示領域の第２の領域の外周の他の一部に沿って配置されて前記複数の走査線に選択信号を供給する走査線駆動回路と、
前記複数の走査線と前記複数の信号線との各交差部にそれぞれ設けられて前記画素信号及び前記選択信号に基づいて前記画素を駆動する複数の画素駆動回路と、
を備える表示装置。
【請求項１３】
複数の画素をマトリクス状に配列してなる表示領域と、
前記表示領域において一方向に延在する複数の信号線と、
前記表示領域において前記複数の信号線と斜交する複数の走査線と、
前記表示領域の外周の一部に沿って配置されて前記複数の信号線に画素信号を供給する信号線駆動回路と、
前記表示領域の外周の他の一部に沿って配置されて前記複数の走査線に選択信号を供給する走査線駆動回路と、
前記複数の走査線と前記複数の信号線との各交差部にそれぞれ設けられて前記画素信号及び前記選択信号に基づいて前記画素を駆動する複数の画素駆動回路と、
を備える表示装置。
【請求項１４】
供給される前記表示領域に表示すべき画像データを記憶部に第１又は第２の順序で書き込み、該記憶部から前記画像データを前記第１又は第２の順序に対応して前記第２又は第１の順序で読み出して前記信号線駆動回路に供給する画素配列変換部をさらに備え、
前記第１の順序の書き込み又は読み出しは前記表示領域の画素配列に対応した第１のアドレスで行われ、
前記第２の順序の書き込み又は読み出しは斜交した配線を含む前記複数の走査線及び前記複数の信号線により順次駆動される画素配列に対応した第２のアドレスで行われる、
請求項１０乃至１２のいずれかに記載の表示装置。
【請求項１５】
走査線駆動回路及び信号線駆動回路のうち少なくともいずれかが前記表示領域の外周に複数存在している、
請求項１乃至１４のいずれかに記載の表示装置。
【請求項１６】
請求項１乃至１５のいずれかに記載の表示装置を備えた、電子機器。
【請求項１７】
複数の走査線と複数の信号線との各交点に対応して、マトリクス状に画素が配列されている表示領域の少なくとも一部に、前記走査線と前記信号線とが斜交している斜交領域を有する表示装置に使用する画像データのデータ変換方法であって、
供給される前記表示領域に表示すべき画像データを記憶部に第１又は第２の順序で書き込み、該記憶部から前記画像データを前記第１又は第２の順序に対応して前記第２又は第１の順序で読み出して前記画像データにおける画素の配列を変換するものであり、
前記第１の順序の書き込み又は読み出しを前記表示領域の画素配列に対応した第１のアドレスで行い、
前記第２の順序の書き込み又は読み出しを斜交した配線を含む前記複数の走査線及び前記複数の信号線により順次駆動される画素配列に対応した第２のアドレスで行う、
画像データのデータ変換方法。
【発明の詳細な説明】
【技術分野】
【０００１】
本発明は、マトリクス状に画素が配列されてなる表示装置、その駆動方法、及びこれを用いた電子機器に関する。
【背景技術】
【０００２】
近年、電子機器の小型化、多様化により様々な情報表示ディスプレイの開発が望まれている。例えば、腕時計市場では、腕時計にデジタルディスプレイを組み込んだ新たな高級腕時計の開発が進められており、腕時計本体やブレスレット等のデザインに合わせた、例えば円形や楕円形といった様々な外形形状のディスプレイが要求されている。
【０００３】
しかし、例えば、特開２００２−１７４８２３号公報に示すように、従来のディスプレイでは、四角形の基板上に複数の走査線及び複数のデータ線をそれぞれ縦方向及び横方向に配置し、碁盤の目状に配列された各画素を駆動している。したがって、ディスプレイの全表示領域のうち円形や楕円形となる領域部分だけを時計ケースの窓から見えるようにして使用する場合にも、四角形の基板に合わせて時計ケース内に矩形状の収納領域が必要とされ、表示領域の外周囲に表示に使用されない比較的に広い面積が存在する。また、円形状の表示領域の外周囲がいわゆる額縁となって時計デザインの自由度を妨げる。
【特許文献１】特開２００２−１７４８２３号公報
【発明の開示】
【発明が解決しようとする課題】
【０００４】
このように、製品の表示領域の外周囲に広い額縁領域ができると、デザインの自由度が低下して、例えば腕時計のデザイン設計に不具合である。また、製品における表示器の画面比率が小さくなり、表示内容が制限されたり、表示が見え難くなるなどの不具合が生じる。
【０００５】
よって、本発明は、丸形や楕円形などの表示画面に合わせて表示器基板の外形を丸形や楕円形などに近い形状とし、より自由な製品デザインを可能とする表示装置を提供することを目的とする。
【課題を解決するための手段】
【０００６】
上記課題を解決するために、本発明は、複数の走査線と複数の信号線の各々の交点に対応した複数の画素と、上記複数の走査線の各々に選択信号を供給する走査線駆動回路と、上記複数の信号線の各々に画素信号を供給する信号線駆動回路と、を有し、表示領域において上記複数の画素はマトリクス状に配列され、上記表示領域の少なくとも一部領域が、上記複数の走査線のうちの少なくともひとつの走査線と上記複数の信号線のうちの少なくともひとつの信号線とが斜交している領域である、表示装置を提供する。
【０００７】
かかる構成によれば、表示領域の一部領域において複数の走査線と複数の信号線とを斜交させるので斜めの配線により配線相互間を狭ピッチ化することができ、表示領域外周に配置される駆動回路の配置面積（あるいは複数の走査線又は複数の信号線との外部接続に必要な領域）を減少することができる。それにより、走査線駆動回路、信号線駆動回路、外部駆動回路との接続端子、時計の竜頭などを表示領域（八角形、円形、楕円形など）の外周に沿って適宜に配置することができるので、製品外形に対する画面比率の向上（狭額縁化）を図ることが可能となる。
【０００８】
上記複数の走査線又は上記複数の信号線の少なくとも一方が上記一部領域とその他の領域との境界で屈曲していてもよい。これによれば、複数の走査線又は複数の信号線の少なくとも一部が屈曲していることで、一方の配線群で斜交領域と非斜交領域の両領域を構成することができるので、さらに配線の配置の自由度が広がる。なお、走査線及び信号線の両方とも直線状（屈曲していない）であってもよく、この場合には、表示領域全体が斜交領域となる。
【０００９】
上記表示領域は、その外形が八角形であってもよい。表示領域が八角形の場合、表示領域の外形に斜辺を有する領域に上記斜交領域を適用することができ、斜交領域を利用した省スペース化のメリットを効果的に活かすことが可能となる。また、特に、例えば製品外形が円又は楕円形状の場合に、製品外形に対する画面比率を大きくすることができる。
【００１０】
上記走査線駆動回路及び上記信号線駆動回路が、それぞれ上記表示領域の外周の少なくとも一部に沿って配設されていることが好ましい。これによれば、外周に沿って周辺回路を構成することで、周辺回路を同時搭載した場合に、周辺回路の一層の省スペース化を図ることが可能となる。
【００１１】
上記複数の画素の各々の形状が矩形状であり、上記一部領域において、上記複数の走査線又は上記複数の信号線のいずれか一方が上記複数の画素の縦辺又は横辺と並行に配置され、他方が上記複数の画素の対角線と並行に配置されていることが好ましい。これによれば、マトリクス状に配列された画素群と走査線及び信号線の配線群とを容易に対応させることができる。
【００１２】
なお、本明細書において、「画素の形状」とは、画像を構成する最小単位の形状をいい、具体的には画素電極の形状が画素の形状となる。
【００１３】
上記表示領域の外形が矩形の四隅を角取りした八角形状である場合、上記複数の走査線又は上記複数の信号線のいずれか一方が上記八角形状の上辺に位置する一辺と直交するように並設されており、他方が、上記表示領域の少なくとも一部において、上記八角形状の上辺に隣接する辺と平行に並設されており、上記走査線と上記信号線との交点が、縦横にマトリクス状に整列するように、上記走査線及び上記信号線の間隔がそれぞれ調整されていることが好ましい。これによれば、表示領域全体に画素を効率的にマトリクス状に整列することができる。
【００１４】
上記表示領域の外形が略正八角形であり、上記複数の走査線又は上記複数の信号線のいずれか一方が上記表示領域の外形の一辺と直行するように並設されており、上記一部領域において、前記複数の走査線と前記複数の信号線とが略４５度の角度で斜交するように配置されていることが好ましい。これによれば、画素の形状が正方形の場合に、表示領域全体に画素を効率的にマトリクス状に整列することができる。
【００１５】
上記一部領域は、上記複数の走査線と上記複数の信号線との斜交角度が異なる複数の領域を有するようにしてもよい。
【００１６】
また、前記斜交角度が異なる複数の領域の隣接する各々の境界において、前記複数の走査線又は前記複数の信号線の少なくとも一方が屈曲していることが好ましい。これによれば、上記一部領域の中に画素の大きさが異なる領域があったとしても、上記複数の走査線及び上記複数の信号線の配置を効率よく行うことができる。このため、大きさの異なる画素の領域を複数配置することにより任意の形状の上記表示領域に対しての対応が可能となる。
【００１７】
さらに、上記表示領域に表示する画像データを格納する記憶部と、上記記憶部を制御する画像配列変換部とを備え、上記画像配列変換部は、上記複数の画素の配列の並びに対応した第１の順序で上記画像データを上記記憶部に書き込むときは第１のアドレスを使用し、上記選択信号による並びに対応した第２の順序で上記記憶部に前記画像データを書き込むときは第２のアドレスを使用し、上記記憶部に格納された上記画像データを上記表示部に読み出すときは、上記第２のアドレスを使用することが好ましい。これによれば、画像データが予め上記選択信号に対応した上記画素の並びに対応して並び変えられていない場合は上記第１のアドレスを使用して上記記憶部への書込みを行い、上記選択信号に対応した上記画素の並びに対応して並び替えられている場合は上記第２のアドレスを使用して上記記憶部への書込みを行うことで、上記記憶部に書き込む前に、上記画像データを並べ替えておく手間を省くことができる。上記画像データに上記第１のアドレス又は上記第２のアドレスのいずれかを使用するかを識別することができるタグ又はフラグを付加しておくことにより、いずれかのアドレスを使用するかは上記画像配列変換部が上記タグ又はフラグを認識することで判断することができる。
【００１８】
さらに、上記記憶部は、複数の上記画像データを格納する容量を持ち、上記表示領域に表示するための上記画像データを記憶部の第１の記憶領域から読出す動作（読出し動作）と、読み出されている上記画像データが格納されていた第１の記憶領域とは異なる第２の記憶領域へ上記第１のアドレスを用いて上記画像データの書込む動作（書込み動作）とは並行して行うことが好ましい。これにより、上記画像データの上記記憶部からの読出し中に、次に表示する上記画像データの記憶部への格納が行えることから、表示の切り替えを素早く行うことができる。
【００１９】
本発明の他の態様に係る表示装置は、第１及び第２の領域に複数の画素を配列してなる表示領域と、上記第１及び第２の領域において一方向に延在する複数の信号線と、上記第１の領域において上記複数の信号線の一部と直交し、上記第２の領域において、上記複数の信号線の他の一部と斜交する複数の走査線と、上記第１及び第２領域（表示領域）の外周の一部に沿って配置されて上記複数の信号線に画素信号を供給する信号線駆動回路と、上記第２の領域の外周の他の一部に沿って配置されて上記複数の走査線に選択信号を供給する走査線駆動回路と、上記複数の走査線と上記複数の信号線との各交差部にそれぞれ設けられて上記画素信号及び上記選択信号に基づいて上記画素を駆動する複数の画素駆動回路と、を備える。
【００２０】
かかる構成によれば、第１の領域（直交領域）及び第２の領域（斜交領域）を有することで、一部傾斜した外形の表示領域を有するマトリクス状画素配列の表示器を構成する場合に配線の自由度が向上する。例えば、走査線及び信号線への各種信号を送るための信号入力端子、走査線駆動回路、信号線駆動回路、時計の竜頭などの配置を表示領域外周の縦、横、斜めの位置に設定することが容易になる。その結果、製品外形に対する画面比率の向上（狭額物化）が可能となり、製品デザインが重視される腕時計の（多角形状、円形状、楕円形状等の）表示器に好適である。
【００２１】
本発明の他の態様に係る表示装置は、複数の画素をマトリクス状に配置してなる八角形の表示領域と、上記表示領域の一方向に延在する複数の信号線と、上記表示領域の第１の領域において上記複数の信号線の一部と直交し、第２の領域において上記複数の信号線の他の一部と斜交する複数の走査線と、上記表示領域の第１及び第２領域の外周の一部に沿って配置されて上記複数の信号線に画素信号を供給する信号線駆動回路と、上記表示領域の第２の領域の外周の他の一部に沿って配置されて上記複数の走査線に選択信号を供給する走査線駆動回路と、上記複数の走査線と上記複数の信号線との各交差部にそれぞれ設けられて上記画素信号及び上記選択信号に基づいて上記画素を駆動する複数の画素駆動回路と、を備える。
【００２２】
かかる構成によれば、第１の領域（直交領域）及び第２の領域（斜交領域）を有することで、配線の配置の自由度が広がり、八角形の表示領域の形状及び製品外形に応じて、例えば、走査線及び信号線への各種信号を送るための信号入力端子、走査線駆動回路、信号線駆動回路及び竜頭の配置などを設定することができるので、製品外形に対する画面比率の向上（狭額縁化）に都合がよい。
また、表示領域を八角形とすると、走査線を表示領域の縦辺に対して４５度、同傾斜辺に対して９０度となる配置とすることができ、基板のパターン設計が相対的に容易になる。
【００２３】
本発明の他の態様に係る表示装置は、複数の画素をマトリクス状に配列してなる表示領域と、上記表示領域において一方向に延在する複数の信号線と、上記表示領域において上記複数の信号線と斜交する複数の走査線と、上記表示領域の外周の一部に沿って配置されて上記複数の信号線に画素信号を供給する信号線駆動回路と、上記表示領域の外周の他の一部に沿って配置されて上記複数の走査線に選択信号を供給する走査線駆動回路と、上記複数の走査線と上記複数の信号線との各交差部にそれぞれ設けられて上記画素信号及び上記選択信号に基づいて上記画素を駆動する複数の画素駆動回路と、を備える。
【００２４】
かかる構成によれば、信号線と走査線とを斜交させることで配線の配置の自由度が広がり、表示領域の形状及び製品外形などに応じて、例えば、走査線及び信号線への各種信号を送るための信号入力端子の配置や、走査線駆動回路及び信号線駆動回路の配置などを変更することができるので、製品外形に対する画面比率の向上に寄与することができる。また、表示領域全体を斜交領域とすることで、単一の画素セルで構成できるので、直交領域と斜交領域とから表示領域が構成される場合に比較し、製造工程が容易となる。
【００２５】
好ましくは、供給される上記表示領域に表示すべき画像データを記憶部に第１又は第２の順序で書き込み、該記憶部から上記画像データを上記第１又は第２の順序に対応して第２又は第１の順序で読み出して上記信号線駆動回路に供給する画素配列変換部をさらに備え、上記第１の順序の書き込み又は読み出しは上記表示領域の画素配列に対応した第１のアドレスで行われ、上記第２の順序の書き込み又は読み出しは斜交した配線を含む上記複数の走査線及び上記複数の信号線により順次駆動される画素配列に対応した第２のアドレスで行われる。
これによれば、互いに直交する複数の走査線及び複数の信号線によって駆動される画素配列による表示器（四角形の表示領域）を前提とする元の画像データをデータ変換（画素位置変換）して、変形した表示領域に対応して複数の走査線及び複数の信号線の一部を傾斜配線とした表示器に使用することができ、従来の（二次元配列の）画像データを使用することができる。また、画素配列変換部を備えることで外部装置で予め画像データを変換する処理を省略し得る。
【００２６】
上記画素配列変換部が、直交座標系のアドレス（第１のアドレス）を上記走査線及び上記信号線により表される座標系のアドレス（第２のアドレス）に変換するアドレス変換テーブルを備えることが好ましい。座標の変換が容易で、高速処理も可能となる。
【００２７】
走査線駆動回路及び信号線駆動回路のいずれか一方又は両方が、複数存在していてもよい。走査線及び信号線の配線をそれぞれ複数の走査線駆動回路及び信号線駆動回路で分担することにより、走査線、信号線、走査線駆動回路及び信号線駆動回路の配置の自由度が広がる。
【００２８】
本発明に係る電子機器は、上記のような表示装置を備えている。かかる構成によれば、電子機器の小型化と外形デザインの自由度の向上が図れると共に、製品外形に対する画面比率を向上（狭額縁化）させることができる。
【００２９】
本発明に係る表示装置の画像データの変換方法は、複数の走査線と複数の信号線との各交点に対応して、マトリクス状に画素が配列されている表示領域の少なくとも一部に、上記走査線と上記信号線とが斜交している斜交領域を有する表示装置に使用する画像データのデータ変換方法であって、供給される上記表示領域に表示すべき画像データを記憶部に第１又は第２の順序で書き込み、該記憶部から上記画像データを上記第１又は第２の順序に対応して上記第２又は第１の順序で読み出して上記画像データにおける画素の配列を変換するものであり、上記第１の順序の書き込み又は読み出しを上記表示領域の画素配列に対応した第１のアドレスで行い、上記第２の順序の書き込み又は読み出しを斜交した配線を含む上記複数の走査線及び上記複数の信号線により順次駆動される画素配列に対応した第２のアドレスで行う。
【００３０】
これによれば、原画像を出力用の画像（出力画像）に変換する手段を備えているので、記憶部（画像メモリ）に蓄積された原画像を画像出力時に走査線及び信号線の配置パターンに応じた出力画像に変換することが可能となる。
【発明を実施するための最良の形態】
【００３１】
以下、本発明の実施の形態について図面を参照しながら説明する。
【００３２】
（第１の実施形態）
図１は、第１の実施形態のアクティブマトリクス型電気泳動（ＥＰＤ）表示装置の概略図である。
【００３３】
図１に示すように、表示装置１は、概略、複数の画素をマトリクス状に配列してなる表示領域１０、データドライバ（信号線駆動回路）１２、ゲートドライバ（走査線駆動回路）１４及びパネルコントロール回路１６によって構成されている。
【００３４】
パネルコントロール回路１６は、データドライバ１２及びゲートドライバ１４を制御するものであり、図示しないパターンジェネレータ、画素配列変換部、タイミングジェネレータなどを含んで構成されている。このパネルコントロール回路１６は、表示領域１０に表示すべき画像を構成する画像データ（画像信号）、その他各種信号（クロック信号等）を生成し、データドライバ１２及びゲートドライバ１４へ出力する。具体的には、例えば、パターンジェネレータは、図示しない時計の機能が集積された時計ＣＰＵからカレンダ情報（年、月、日、曜日、時、分、秒）を受けて画像データを生成する。画像データは、例えば、二次元画像を順次走査して得られる画素のデータ列として生成される。後述する画素配列変換部は、画素データ列の各画素位置を変形した表示器の表示領域に合わせて配線された走査線、信号線による駆動順番（駆動画素位置）に対応して配置換えする。画素配列変換部は画素位置を調整した画像データをデータドライバ１２に送る。また、タイミングジェネレータは、パネルコントロール回路１６の既述内部回路、ゲートドライバ１４やデータドライバ１２を制御するための各種タイミング信号を生成する。なお、パネルコントロール回路１６は、データドライバ１２及びゲートドライバ１４と、例えば、基板端子、フレキシブルプリント基板（ＦＰＣ）等の配線１８を介して電気的に接続されている。
【００３５】
表示領域１０は、内角が約１３５°の八角形状の外形をしており、表示領域１０内には、一方向（図示の上下方向）に延在する複数の信号線（データ線）２０と、一部が屈曲した（折れ線状の）複数の走査線（ゲート線）２２とが配列されている。表示領域１０は、信号線２０と走査線２２が直交する直交領域（第１領域）１０ａと、信号線２０と走査線２２が斜交する斜交領域（第２領域）１０ｂとによって構成されている。直交領域１０ａでは、信号線２０は、図示の八角形の最上方の左右方向に延在する一辺（基準とする辺）と垂直（直角）な方向に配列されており、走査線２２は、先の基準とする辺から右傾斜辺を一つ隔てて存在する上下方向に延在する辺に垂直な方向、すなわち、信号線２０に垂直な方向に配列されている。斜交領域１０ｂでは、信号線２０は、直交領域１０ａと同一方向に配列されており、走査線２２は、八角形の上記基準とする辺に隣接する左傾斜辺と平行な方向、すなわち、信号線２０と４５゜の角度で交わる方向に配列されている。信号線２０の間隔及び走査線２２の間隔は、信号線２０と走査線２２との交点が縦方向においても及び横方向においてもそれぞれ一直線上に整列するように定められる。信号線２０と走査線２２をこのように配列することで、後述するように、斜交領域１０ｂにおいても直交領域１０ａと同様に、画素をマトリクス状に配置することができる。
【００３６】
信号線２０と走査線２２との各交点には、各々画素駆動回路及び画素電極を含む単位画素が設けられており、各交点がこのように配置されていることで、斜交領域１０ｂにおいても、直交領域１０ａと同じ間隔で同じ形状の画素電極を配列することができる。本実施形態では、画素電極の形状は略正方形状であり、斜交領域１０ｂでは、画素電極の対角線が走査線２２上に乗るように配置される。各単位画素に含まれる電気泳動表示素子によって画像（二次元情報）が表示される。
【００３７】
なお、本明細書で、表示領域とは、信号線２０及び走査線２２を縦、横、又は斜めに配置することにより、理論上画素を配置し得る領域（配線形成領域）をいう。また、本発明において、表示領域１０内の信号線２０と走査線２２との各交点全てに、必ずしも画素が形成されていなくてもよい。例えば、八角形の表示領域１０を、当該表示領域１０より狭い窓部を有する枠体（外装）で覆う場合には、枠体で覆われ、外部より見えなくなる部分については、必ずしも画素を形成しなくてもよい。これにより、表示に寄与しない画素を減らし、表示装置の構成を簡素化することができる。
【００３８】
ゲートドライバ１４は、八角形の表示領域１０の二辺に沿うように、配置されている。ゲートドライバ１４の各出力端子は、表示領域１０の各走査線２２とそれぞれ接続されており、各走査線２２に所定の走査線選択信号（駆動信号）を順次供給する。選択信号は、アクティブ期間（Ｈレベル期間）が各走査線２２を順次シフトする信号となっており、各走査線２２に出力されることにより、各走査線２２に接続された後述の画素駆動回路が順次オン状態とされる。
【００３９】
データドライバ１２は、ゲートドライバ１４に隣接する位置に、表示領域１０の外周に沿って八角形の上側三辺に跨るように設けられている。データドライバ１２の各出力端子は、表示領域１０の各信号線２０とそれぞれ接続されており、ゲートドライバ１４によって選択された（オン状態の）各画素駆動回路に対してデータ信号（画素信号）を供給する。なお、データドライバ１２の構成については後述する。
【００４０】
図２は、単位画素の具体的な構成を説明する説明図である。同図において図１と対応する部分には同一符号を付し、かかる部分の説明は省略する。
【００４１】
図２（ａ）は、表示器の表示領域を示しており、同図（ｂ）は、表示領域を構成する各画素の画素駆動回路を示している。図２（ｂ）に示すように、単位画素２４は、スイッチング用の薄膜トランジスタ（ＴＦＴ）２６及び保持容量２８を含む画素駆動回路２５と、電気泳動表示素子３０とを含んで構成されている。薄膜トランジスタ２６は、例えばＮチャネルトランジスタであって、そのゲートが走査線２２に接続され、ソースが信号線２０に接続され、ドレインが電気泳動表示素子３０の画素電極に接続されている。電気泳動表示素子３０は、各画素ごとに設けられる画素電極と、各画素共通に用いられる共通電極との間に電気泳動層を介在させて構成されている。保持容量２８は、電気泳動表示素子３０と並列に接続されており、薄膜トランジスタ２６によって画素電極に印加された電圧を保持する。
【００４２】
かかる構成において、特定の走査線２２に選択信号が供給され、該信号の供給に同期して各信号線２０に画素データ信号が供給されると、各画素駆動回路２５によって走査線２２に接続された一群の画素（電気泳動表示素子）３０に各画素データ信号のレベルに対応した輝度が設定される。各走査線２２の画素群について同様の画素データの書き込みを行うことによって表示領域に画像が形成される。各画素の輝度レベルは保持容量２８によって次の画像フレームによるデータ更新まで保持される。なお、傾斜領域の存在に対応した画像データの表示器への供給については後述の他の実施形態例で説明する。
【００４３】
図３（ａ）は、信号線２０及び走査線２２と画素電極４０（以下、画素ともいう）との位置関係を説明するための図であり、図３（ｂ）は、斜交領域１０ｂにおける画素駆動回路２５の領域と画素電極４０の領域との位置関係を説明するための図である。
【００４４】
図３（ａ）に示すように、各画素電極４０は、信号線２０と走査線２２との各交点に対応する位置にマトリクス状に配列されている。各画素電極４０は、走査線２２に沿って順次駆動されることになる。具体的には、複数の走査線２２のうち、図示のＹ１が選択される（選択信号Ｙ１が供給される）と走査線Ｙ１に沿って配置された一群の画素４０ａが、Ｙ２が選択されると一群の画素４０ｂが、Ｙ３が選択されると一群の画素４０ｃが、・・・・・というように、選択された走査線２２に沿って配置された一群の画素が順次駆動されることになる。各走査線２２の駆動に同期して各信号線２０から画素データ（画素信号）が供給されることによって、選択された走査線に対応した一群の画素にそれぞれの輝度情報が保持される。例えば、一群の画素４０ａの一画素である画素４０（Ｘｎ，Ｙ１）はＸｎ番目の信号線２０とＹ１番目の走査線２２に接続された画素駆動回路を介して駆動されて、輝度情報が保持される。
【００４５】
また、図３（ｂ）に示すように、信号線２０と走査線２２とが斜交する斜交領域１０ｂでは、２本の信号線２０と２本の走査線２２とに囲まれた平行四辺形状の領域内に、画素駆動回路２５を形成し、その一部に被さるように上層に当該画素駆動回路２５が駆動する画素電極４０が設けられている。
【００４６】
図４は、電気泳動表示素子の構成例を説明する模式断面図である。図４に示すように本実施形態の電気泳動表示素子３０は、ガラス又は樹脂等からなる基板（図示なし）上に形成された画素電極３２（図３における符号４０に対応）と、ガラス又は樹脂等からなる光透過性の基板（図示なし）上に形成された共通電極３４との間に、電気泳動層３５を介在させて構成されている。画素電極３２は、必ずしも透明電極である必要はないが、例えば酸化インジウム・スズ（ＩＴＯ）膜などで構成される。共通電極３４には、光透過性の透明電極が用いられ、例えば、ＩＴＯ膜などで構成される。電気泳動層３５は、バインダにより固定された多数のマイクロカプセル３６によって構成されている。マイクロカプセル３６内には、分散媒（分散液）３７、電気泳動粒子３８ａ、３８ｂが含まれている。ここでは、電気泳動粒子３８ａは電気的にマイナスに帯電した白色の粒子（白粒子）であり、電気泳動粒子３８ｂは電気的にプラスに帯電した黒色の粒子（黒粒子）としている。
【００４７】
次に、本実施形態の電気泳動表示装置１の画像表示原理について簡単に説明する。
【００４８】
本実施形態の電気泳動表示装置１では、画素電極３２と共通電極３４の間に印加する電圧を制御することにより、これらの電気泳動粒子３８ａ、３８ｂの空間的配置を変化させ、各画素の電気泳動粒子の分布状態を変化させて画像表示がなされる。具体的には、例えば、図４（ａ）に示すように、共通電極３４を基準にして負極性の電圧を画素電極３２に印加すると、表示面側の共通電極３４側にマイナスに帯電した白色の電気泳動粒子３８ａがクーロン力によって移動し、プラスに帯電した黒色の電気泳動粒子３８ｂは画素電極３２側に移動するので、表示面には白色が表示されることになる。また、一方で、図４（ｂ）に示すように、共通電極３４を基準にして正極性の電圧を画素電極３２に印加すると、表示面側の共通電極３４側にはプラスに帯電した黒色の電気泳動粒子３８ｂが集まり、マイナスに帯電した白色の電気泳動粒子３８ａは画素電極３２側に集まるので、表示面には黒色が表示されることになる。
【００４９】
電気泳動粒子３８ａ、３８ｂは、電気泳動粒子３８ａ、３８ｂの比重と分散媒３７の比重とをほぼ等しくなるように設定することによって、電気泳動表示素子３０（電気泳動層３５）への外部電界の印加を停止した後においても、電気泳動層３５中の所定の位置に長時間に亘り留めることができる。
【００５０】
電気泳動粒子３８ａ、３８ｂの移動速度は、電界強度（印加電圧）に応じて定まる。また、電気泳動粒子３８ａ、３８ｂの移動距離は、印加電圧と印加時間に応じて定まることになる。したがって、印加電圧及び印加時間を調整することで、電気泳動粒子３８ａ、３８ｂを電極間で移動させることができる。
【００５１】
上述したように、本実施形態によれば、走査線２２を折れ線状とし、表示領域１０の一部の領域で信号線２０と斜交させるので、信号線２０及び走査線２２の信号入力端子を八角形の表示領域の外周の所望の辺位置に配置することが可能となる。したがって、走査線２２及び信号線２０への各種信号を送るためのゲートドライバ１４及びデータドライバ１２の配置や、パネルコントロール回路１６との接続端子の配置を表示領域１０の外周に沿わせることができ、狭額縁化を図ることが可能となる。また、本実施形態では、一部に直交領域１０ａを残すことで、第５の実施形態で後述するような画像変換処理の必要な領域を少なく留めることができるので、全面が斜交領域の場合と比較して、表示速度を速めることができる。また、表示領域が八角形なので、斜交領域を利用した省スペース化のメリットを効果的に活かすことが可能となる。
【００５２】
なお、上述した実施形態では、画素の配置が縦方向にも横方向にも直線状に並ぶ配置について説明したが、これに限定されず、マトリクス状の画素配置は、例えば、カラー表示装置におけるデルタ型配置のように、一列ごとに画素が１／２ピッチずれた配置であってもよい。また、信号線２０の間隔及び走査線２２の間隔についても、画素の配置に合わせて、信号線２０と走査線２２との交点が各画素に対応する位置に配置されるように、適宜変更することが可能である。これにより、画素配置を表示される画像データに適したものとすることができる。なお、以下の実施形態についても同様である。
【００５３】
また、上記例においては、ゲートドライバ１４及びデータドライバ１２を表示領域１０の周囲に配置した例について説明したが、これに限らず、ゲートドライバ１４及びデータドライバ１２を外付けにしてもよい。
【００５４】
（第２の実施形態）
第１の実施形態では画素形状は正方形であったが、第３の実施形態では長方形の画素を用いている。
【００５５】
図５は、第２の実施形態に係る細長の八角形状の表示領域を備えた表示装置の画素配置を説明するための図である。図５（ａ）は、表示領域の外形と表示領域の斜交領域と直交領域を含む一部拡大図を示し、図５（ｂ）は、走査線と画素の位置関係を示す。図５において図２と対応する部分には同一符号を付し、かかる部分の説明は省略する。
【００５６】
図５（ａ）に示すような細長の八角形状（楕円状）の表示領域１０の場合、走査線２２は、斜交領域１０ｂでは、表示領域１０の斜辺と平行になるように配置される。また、斜辺の傾斜角に合わせて画素（画素電極）４０の長方形の長辺と短辺の比（縦横比）が定まる。すなわち、図５（ｂ）に示すように、ｔａｎ（θ２）＝ｂ／ａとなる。ここで、ａ，ｂはそれぞれ画素の縦辺及び横辺の長さを示し、θ２は、画素４０の縦辺と対角線とのなす角を示す。また、θ２は、走査線２２と信号線２０とのなす角（走査線２２の傾斜角）θ１と一致する。画素４０は、画素４０の対角線が走査線２２上に乗るように配置される。走査線２２の間隔及び信号線２０の間隔は、走査線２２と信号線２０との各交点が縦方向及び横方向において直線上に並ぶように定められる。
【００５７】
本実施形態の表示装置では、斜交領域１０ｂにおいて、走査線２２が八角形の表示領域１０の斜線に合わせて平行に配置され、また、走査線２２の傾斜角θ１に対応して、画素の縦横比を定めるので、八角形の表示領域１０内に長方形状の画素を効率よく、整列させることができる。さらに、信号線２０の間隔及び走査線２２の間隔を、信号線２０と走査線２２との各交点が縦方向にも、横方向にも直線状に並ぶように定められるので、直交領域１０ａ及び斜交領域１０ｂに亘る全領域で画素を縦方向にも横方向にも直線状に整列させることが可能となる。
【００５８】
なお、上記例では、表示領域１０の斜辺の傾斜角に合わせて走査線２２の傾斜角θ１、画素の縦横比を定めたが、逆に、画素の縦横比から、表示領域１０の斜辺の傾斜角、すなわち、表示領域１０の形状を定めてもよい。
【００５９】
（第３の実施形態）
第１の実施形態では、直交領域と斜交領域を含む表示領域を備えた表示装置について説明したが、第３の実施形態では、斜交領域のみからなる表示領域を備えた表示装置について説明する。
【００６０】
図６は、第３の実施形態に係る表示装置の表示領域の配線パターンを説明するための図である。同図において図１と対応する部分には同一符号を付し、かかる部分の説明は省略する。
【００６１】
図６に示すように、表示領域１０には、直線状の複数の信号線２０と直線状の複数の走査線２２とが斜交するように配置されている。信号線２０の間隔及び走査線２２の間隔は、画素がマトリクス状に配置されるように、信号線２０と走査線２２との各交点の位置が調整されている。
【００６２】
本実施形態によれば、信号線と走査線とを斜交させることで配線の配置の自由度が広がり、表示領域の形状に応じて、走査線及び信号線への各種信号を送るための走査線駆動回路及び信号線駆動回路の配置を表示領域の形状の斜辺に沿った配置とすることができるので、狭額縁化を図ることができる。また、表示領域全体を斜交領域とすることで、単一の画素セルで構成できるので、直交領域と斜交領域とから表示領域が構成される場合に比較し、製造工程が容易となる。また、表示領域の外形の一部の辺を査線駆動回路及び信号線駆動回路に使用せずにすむので、基板との外部接続端子や時計の竜頭などを配置するスペースを確保することができて具合がよい。
【００６３】
（第４の実施形態）
第４の実施形態では、ゲートドライバを分割した例について説明する。
【００６４】
図７は、第４の実施形態に係る表示装置を説明するための図である。同図において図１と対応する部分には同一符号を付し、かかる部分の説明は省略する。
【００６５】
本実施形態に係る表示装置では、図７に示すように表示領域１０の両側に２つのゲートドライバ１４ａ、１４ｂが設けられている。この左右の各ゲートドライバ１４ａ、１４ｂに、走査線２２が交互に接続されている。例えば、奇数番目の走査線はゲートドライバ１４ａに接続され、偶数番目の走査線２２はゲートドライバ１４ｂに接続されている。また、左右の各ゲートドライバ１４ａ、１４ｂから伸びる走査線２２は、表示領域１０の上部の３辺に沿う（並行となる）ように、左右対称に配置されている。
【００６６】
本実施形態では、ゲートドライバを２つに分けることで、ゲートドライバ内における走査線２２との配線間隔を略２倍に広げることができ、表示領域の形状及び製品外形などに合わせた回路設計が容易となる。
【００６７】
（第５の実施形態）
第５の実施形態について図８を参照して説明する。同図は、図１の実施形態に示した配線のレイアウトに従った表示装置への画像データの供給方法を説明する説明図である。図８（ａ）及び同図（ｂ）に示すように、表示装置は縦横各々２１個の矩形状画素からなる四角形の表示領域の四隅の角部領域を除いて八角形状の表示領域１０を構成している。図８において、図中の梨地領域は走査線がデータ線と直交する既述直交領域１０ａ（図１参照）の画素に対応している。また、同図中のより濃い領域は走査線がデータ線と斜交する既述斜交領域１０ｂ（図１参照）の画素に対応している。以下、詳述するように、画像を構成する斜交領域１０ｂの画素データ（図８（ａ））は走査線の傾斜に対応して画素位置が変換された画像データとして表示器に供給される（図８（ｂ））。
【００６８】
図８（ａ）は、表示装置の表示画面に表示される画像を示している。
図８（ａ）に示すような行ｙ１〜ｙ２１及び列ｘ１〜ｘ２１の直交座標データとして各画素が表される画像パターン（線順次走査データ）を、斜交領域を有する八角形の表示領域１０に走査線２２ごとに順次選択して画素を表示する場合には、直交座標の画像データを信号線２０及び傾斜配線部と直線配線部を含む走査線２２で表される座標系データに変換する必要がある。図８（ｂ）に、図８（ａ）に示した画像をＸ１〜Ｘ２１の信号線２０と及びＹ１〜Ｙ２１の走査線２２で表される座標データに変換した変換後の画像を示す。
【００６９】
このような画像変換は、外部でデータ変換したもの表示器に与えてもよく、未変換の画像データを第１の実施形態で説明した画素配列変換部でデータ変換して表示を行うようにしてもよい。画像変換用に別途ＣＰＵを設けてもよい。以下に、かかる場合を例に採り、画像の変換方法について具体的に説明する。
【００７０】
図９は、本実施形態の表示装置に使用する画素配列変換部５０の概要を説明するための図である。図９に示すように、表示装置１は、概略、複数の画素をマトリクス状に配列してなる表示領域１０、データドライバ１２、ゲートドライバ１４、メモリ部５５への書き込みアドレスを出力する第１のアドレス出力部５２、メモリからの読み出したアドレスを出力する第２のアドレス出力部５３、外部から供給される画像データを書き込みアドレスに従ってメモリ部５５に書き込む書込部５４、メモリ部５５から読み出しアドレスに従って画素データを読み出す読み出し部５６、及びタイミングジェネレータ５８によって構成されている。第１のアドレス出力部５２、第２のアドレス出力部５３、書込部５４、メモリ部（記憶部）５５、読出部５６は画素配列変換部５０を構成する。
【００７１】
かかる構成によって、画素配列変換部５０は、表示領域に表示すべき画像データをメモリ部５５に画像の線順次走査に対応した書き込みアドレスで書き込みを行う。次に、メモリ部５５から斜交部分を含む各走査線に対応した読み出しアドレスで画素データを読み出す。読み出した画素データ列は画像データとしてデータドライバ１２に供給される。
【００７２】
例えば、図示しないパターンジェネレータから出力された、画像の線順次走査による一連の画像データＤ（１），Ｄ（２），…Ｄ（４４１）を連続な第１のアドレスによってメモリ部５５にＤ（ｘ１，ｙ１），Ｄ（ｘ２，ｙ１），Ｄ（ｘ３，ｙ１），…，Ｄ（ｘ２０，ｙ２１），Ｄ（ｘ２１，ｙ２１）として書き込みを行う。なお、図８（ａ）に示すように、表示領域１０に相当する部分以外の領域（角部）の画素データは表示されないので、予めパターンジェネレータの当該領域の出力を「０」としておくことができる。
【００７３】
次に、傾斜（斜交）を含む第１の走査線２０（Ｙ１）の配置位置に対応した第２のアドレスで画素データを読み出す。例えば、画素データＤ（ｘ１，ｙ８），Ｄ（ｘ２，ｙ７），Ｄ（ｘ３，ｙ６），Ｄ（ｘ４，ｙ５），Ｄ（ｘ５，ｙ４），Ｄ（ｘ６，ｙ３），Ｄ（ｘ７，ｙ２），Ｄ（ｘ８，ｙ１），Ｄ（ｘ９，ｙ１），Ｄ（ｘ１０，ｙ１），Ｄ（ｘ１１，ｙ１），Ｄ（ｘ１２，ｙ１），Ｄ（ｘ１３，ｙ１），…，Ｄ（ｘ１４，ｙ１），Ｄ（ｘ１５，ｙ１），…，Ｄ（ｘ２１，ｙ１）を読み出す。ここで、画素データＤ（ｘ１５，ｙ１），…，Ｄ（ｘ２１，ｙ１）は領域１０外となって表示されないので、上記のように「０」等のデータを入れておくことができる。
【００７４】
次に、第２の走査線２０（Ｙ２）の配置位置に対応した第２のアドレスで画素データを読み出す。例えば、画素データＤ（ｘ１，ｙ９），Ｄ（ｘ２，ｙ８），Ｄ（ｘ３，ｙ７），Ｄ（ｘ４，ｙ６），Ｄ（ｘ５，ｙ５），Ｄ（ｘ６，ｙ４），Ｄ（ｘ７，ｙ３），Ｄ（ｘ８，ｙ２），Ｄ（ｘ９，ｙ２），Ｄ（ｘ１０，ｙ２），Ｄ（ｘ１１，ｙ２），Ｄ（ｘ１２，ｙ２），Ｄ（ｘ１３，ｙ２），Ｄ（ｘ１４，ｙ２），Ｄ（ｘ１５，ｙ２），Ｄ（ｘ１６，ｙ２）…，Ｄ（ｘ２１，ｙ２）を読み出す。ここで、画素データＤ（ｘ１６，ｙ１），…，Ｄ（ｘ２１，ｙ１）は領域１０外となって表示されないので、上記のように「０」等のデータを入れておくことができる。
【００７５】
このように、第２の走査線２０（Ｙｎ）の配置位置に対応した第２のアドレスで画素データの読み出しを繰り返し、斜交領域の画素データの位置が位置変換された画像データを得る。画像データはデータドライバ１２に供給される。読み出された画像データの配列を連続的に示せば、図８（ｂ）のように示される。
【００７６】
また、上記の画素データ位置変換結果に基づいて、一連の画像データＤ（１）〜Ｄ（４４１）のメモリ部への書き込みの際に画素データの位置変換を行い、読み出し時に線順次走査で読み出しても良い。すなわち、供給される画像データを斜交した配線を含む各走査線に対応したメモリ部５５のアドレス位置に書き込み、次に、メモリ部５５から線順次操作の読み出しアドレスで画素データを読み出す（図８（ｂ）参照）。
【００７７】
例えば、図示しないパターンジェネレータから出力された、画像の線順次走査による一連の画像データＤ（１），Ｄ（２），…Ｄ（４４１）を、画素データＤ（１）〜Ｄ（７）を除去、Ｄ（８）〜Ｄ（２１）→Ｄ（Ｘ８，Ｙ１）〜Ｄ（Ｘ２１，Ｙ１），Ｄ（２２）〜Ｄ（２７）を除去、斜交領域の画素データＤ（２８）→Ｄ（Ｘ７，Ｙ１），Ｄ（２９）〜Ｄ（４２）→Ｄ（Ｘ８，Ｙ２）〜Ｄ（Ｘ２１，Ｙ２），Ｄ（４３）〜Ｄ（４７）を除去、斜交領域の画素データＤ（４８）→Ｄ（Ｘ６，Ｙ１），同Ｄ（４９）→Ｄ（Ｘ７，Ｙ２），Ｄ（５０）〜Ｄ（６３）→Ｄ（Ｘ８，Ｙ３）〜Ｄ（Ｘ２１，Ｙ３），…Ｄ（４２１）〜Ｄ（４２７）を除去、Ｄ（４２８）〜Ｄ（４４１）→Ｄ（Ｘ８，Ｙ２１）〜Ｄ（Ｘ２１，Ｙ２１）のように、一連の画像データＤ（１）〜Ｄ（４４１）のうち斜交領域の画素データＤ（２８），Ｄ（４８），Ｄ（４９），…Ｄ（４０６）を位置移動してメモリ部５５に書き込むようにしても良い。
【００７８】
なお、本例においても、図８（ａ）に示すように、表示領域１０に相当する部分以外の領域（四隅部）の画素データは表示されないので、予めパターンジェネレータの当該領域の出力を「０」としておくことができる。読み出した画素データ列は画像データとしてデータドライバ１２に供給される。このようにしても、元の画像データが斜交部を含む走査線の曲がりに対応して画素配列変換されるので、表示領域に適切に元の画像が再生される。
【００７９】
また、予め用意された２つの座標系のアドレス変換テーブルを使用して、供給される画像データの各画素のアドレスを対応するアドレスに変換し、変換後のアドレスの順番で画素データを並べ替えて画像データを得て、これをデータドライバ１２に供給することとしても良い。
【００８０】
座標変換テーブルは、供給される画像の画素データをＤ（ｍ，ｎ）とすると、例えば、Ｄ（ｘ１，ｙ８）→Ｄ（Ｘ１，Ｙ１）、Ｄ（ｘ１，ｙ９）→Ｄ（Ｘ１，Ｙ２）、・・・・Ｄ（ｘ７，ｙ２０）→Ｄ（Ｘ７，Ｙ１９）、Ｄ（ｘ７，ｙ２１）→Ｄ（Ｘ７，Ｙ２０）のように、直交座標で表される座標と変換座標で表される座標が１対１に対応するテーブルを用いることができる（図８（ａ）、同（ｂ）参照）。なお、座標変換テーブルによらず、画素配列の規則性を利用して演算処理により求めてもよい。
【００８１】
図１０は、データドライバ１２のブロック図である。図１０に示すように、データドライバ１２は、供給される画像データの直並列変換を行うシフトレジスタ１２１、第１ラッチ回路１２２、第２ラッチ回路１２３、ラッチ値に対応した輝度信号電圧を発生するＤＡ変換回路１２４等によって構成されている。ＤＡ変換回路１２４の各出力が走査線２２の選択に同期して各データ線２０に出力される。これにより、表示領域の各画素が個々に設定されたレベルで駆動されて表示領域に画像が形成される。
【００８２】
本実施形態によれば、原画像を出力用の画像（出力画像）に変換する手段を備えているので、記憶部（画像メモリ）に蓄積された原画像を画像出力時に走査線及び信号線の配置パターンに応じた出力画像に変換することが可能となる。また、表示装置側で画素配列変換を行うので、外部から画像を入力する際に、外部装置で予め画像を変換する工程を省略し得る。また、変換テーブルを有することで、複雑な演算等をする必要がなく、容易に座標の変換が可能となり、高速処理が可能となる。
【００８３】
なお、上記例においては、画素配列変換を表示装置１内で行うこととしたが、画素配列変換を外部装置により別途行い、画素配列変換を行った画像データを表示器に供給してもよい。
【００８４】
（第６の実施形態）
第６の実施形態では、走査線と信号線とが複数の異なる角度で斜交する表示装置の構成例を図１１および図１２に基づいて説明する。図１１は、時計の表示板の例である。図１１に示す表示板２００は、外形上斜めとなる部分はその辺の途中で２箇所角度が変わっている。詳細には、図示の角度変更点２０１および角度変更点２０２において、辺が斜行する角度が異なっている。このような表示板２００の一部領域２０３を拡大し、各走査線２２と各信号線２０を示したのが図１２である。表示板２００が複数の角度変更点を有する形状であっても、図１２に示すように、走査線２２と信号線２０との交差する角度（斜交角度）を変えることで表示板を構成することが可能である。例えば、図１２に示す領域２１０と領域２１１とを比べると、領域２１０の方が走査線２２と信号線２０との交差角度が大きく、領域２１１の方が走査線２２と信号線２０との交差角度が小さい。同様に、図１２に示す領域２１２と領域２１１とを比べると、領域２１２の方が走査線２２と信号線２０との交差角度が大きく、領域２１１の方が走査線２２と信号線２０との交差角度が小さい。図示のように、互いに隣接する領域２１０と領域２１１との境界においては走査線２２が屈曲している。同様に、互いに隣接する領域２１１と領域２１２との境界においても走査線２２が屈曲している。このように各領域において走査線２２と信号線２０との交差角度が異なる場合には、各々において走査線２２と信号線２０との交点に対応づけて設けられる画素の大きさを異ならせればよい。具体的には、走査線２２と信号線２０との交差角度がより大きい領域２１０、２１２においては、領域２１１における場合よりも画素を小さくすればよい。なお、図１２に示す例では複数の領域の隣接する各々の境界において走査線２２が屈曲していたが、信号線２０を屈曲させてもよいし、走査線２２および信号線２０の双方を屈曲させてもよい。それにより、画素配置の自由度が高まる。
【００８５】
（第７の実施形態）
第７の実施形態では、上記した実施形態におけるメモリ部（記憶部）におけるデータの配置の例と、このデータ配置の例における第１のアドレスと第２のアドレスとの関係について説明する。図１３は、第７の実施形態を説明するための、表示体の表示領域１０の模式図である。四角（矩形）で区切られたひとつひとつが画素を構成する。２１本の各走査線Ｙ１、Ｙ２、・・・Ｙ２１は、それぞれ、図示した通りの画素に対して選択信号を供給する。また、１９本の各信号線Ｘ１、Ｘ２、・・・Ｘ１９は、それぞれ、図中において縦方向に並んだ複数の画素に対して共有される。図１３からもわかるように、第１の走査線Ｙ１から第７の走査線Ｙ７までは対応する画素の数が最大となり、第８の走査線Ｙ８から第２１の走査線Ｙ２１に向かうにつれ、各走査線に対応する画素の数は徐々に少なくなる。
【００８６】
上記のように各走査線、各信号線及び各画素が配置された表示領域に対応してメモリ部５５に格納される画像データの配置の一例を図１４に示す。図中において、各走査線データの左上に表記されているのはデータ格納アドレスの一例である。図１４は、一画面分の画像データの配置を示したものであり、複数の画像データを格納する場合は図１４に示す画像データの配置を繰り返してメモリ部５５に格納するようにしてもよい。画像データのメモリ部５５での配置は、走査線の選択に合わせた形、すなわち上記第２のアドレスにより配置されている。各画像データは、上記第２のアドレスの順に読み出され、該当する画素の位置に対応した信号線に供給される。
【００８７】
（第８の実施形態）
第８の実施形態では、第７の実施形態における表示領域を例にして、上記のメモリ部５５と上記第１のアドレス及び上記第２のアドレスを用いての画像データの配列の変換に関して説明する。本実施形態において、第１のアドレスと第２のアドレスの対応は、図１５および図１６のようになる。各図においては、第１のアドレスが左欄に示され、各第１のアドレスに対応付けられる第２のアドレスが右欄に示されている。例えば、第１のアドレス“０００７”に対応する第２のアドレスが“０００７”、第１のアドレス“０００８”に対応する第２のアドレスが“０００８”、・・・、第１のアドレス“０００Ｄ”に対応する第２のアドレスは“０００Ｄ”である。また、第１のアドレス“００１Ｂ”に対応する第２のアドレスが“０００６”、第１のアドレス“００１Ｃ”に対応する第２のアドレスが“００１Ｃ”、・・・、第１のアドレス“００２３”に対応する第２のアドレスは“０００Ｅ”である。なお、他の欄についても同様であり、これ以上の説明は省略する。
【００８８】
図１７は、第８の実施形態における表示装置の一部を示すブロック図である。元画像データａは、画像データを構成する画素と該画素の位置情報を含む画像データである。元画像データａは、図中の制御部７０により、第１のアドレスを使用して複数の画素の配列の並びに対応した第１の順序、又は、第２のアドレスを使用して選択信号による並びに対応した第２の順序、のいずれかに並び変えられる。そして、この並び替えられた画像データは、用いられるアドレスに対応したアドレス選択信号ｅとともに、第１のアドレスｃ又は第２のアドレスｄと同期を取って、入力画像データｂとしてメモリ部（記憶部）５５に供給される。アドレス選択信号ｅで選択されるアドレスはメモリ部５５への書込み動作に使用されるアドレスである。メモリ部５５に対する書込み制御信号ｆおよび読出し制御信号ｇは制御部７０から適宜アドレス変換部７２へ供給される。記憶部５５に格納された画像データを読み出すときは第２のアドレスが使用される。タイミングジェネレータ５８は、制御部タイミング信号ｈ、制御部タイミング信号ｋ、信号線駆動回路タイミング信号ｍ、走査線駆動回路タイミング信号ｎ、を制御部７０に供給する。制御部７０は、データドライバ（信号線駆動回路）１２に信号線駆動回路制御信号ｐを供給し、ゲートドライバ（走査線駆動回路）１４に走査線駆動回路制御信号ｑを供給する。タイミングジェネレータ５８、制御部７０及びアドレス切替部７２を含んで「画像配列変換部８０」が構成される。
【００８９】
図１８は、図１７に示すアドレス切替部の詳細構成の一例と記憶部５５を示すブロック図である。第２のアドレスを使用して記憶部５５に格納される場合は、入力画像データｂは、第２のアドレスで指示される記憶部５５内の位置に格納される。第１のアドレスを使用して記憶部５５に供給される場合は、図１８に示すアドレス変換部７４において、第１のアドレスは上述した図１５及び図１６に示した対応関係に基づいてアドレスが変換され、変更されたアドレスにより示される記憶部５５内の位置に画像データが格納される。これにより、記憶部５５における入力画像データｂの配置は、第２のアドレスで示された配置として格納されることになる。
【００９０】
（第９の実施形態）
第９の実施形態は、記憶部５５への画像データの書込みと、記憶部５５からの画像データの読出しとを並列に行う場合を説明する。表示領域、表示装置の構成は上述した第７の実施形態および第８の実施形態と同じである。ただし、記憶部５５は複数の画像データを格納できる容量を有する。記憶部５５の第１の領域に格納された画像データの読出しと記憶部５５の第２の領域（第１の領域とは異なる領域）への画像データの書込みとを行う場合は、書込み動作については第１のアドレスを用いて行われ、読出し動作については第２のアドレスを用いて行われる。元画像データａは、制御部７０において第１の画像データの配列に置き換えられ、アドレス選択信号ｅは第１のアドレスを選択する値に固定される。制御部７０は、記憶部５５に格納されている画像データを第２のアドレスにより異なる画像データの格納された領域を選択することにより、表示領域の表示画像を変更することができる。
【００９１】
（第１０の実施形態）
次に、上述の表示装置を備える電子機器の例について説明する。なお、上述の表示装置は、以下の電子機器において、表示部として組み込まれる。
【００９２】
図１９は、電子機器の例を示す概略斜視図である。同図（ａ）は、腕時計への適用例であり、この腕時計５１０は、本発明の実施形態に係るカラーディスプレイによって構成された表示部５１１を備えている。同図（ｂ）は、携帯電話への適用例であり、当該携帯電話５３０はアンテナ部５３１、音声出力部５３２、音声入力部５３３、操作部５３４、表示部５３５を備えている。
【００９３】
なお、本発明は上述した実施形態の内容に限定されることなく、本発明の要旨の範囲内で種々に変形実施が可能である。
【図面の簡単な説明】
【００９４】
【図１】図１は、第１の実施形態のアクティブマトリクス型電気泳動（ＥＰＤ）表示装置の概略図である。
【図２】図２は、単位画素の具体的な構成を説明する図である。
【図３】図３（ａ）は、信号線２０及び走査線２２と画素電極４０との位置関係を説明するための図であり、図３（ｂ）は、斜交領域１０ｂにおける画素駆動回路２５と画素電極４０との位置関係を説明するための図である。
【図４】図４は、電気泳動表示素子の構成例を説明する模式断面図である。
【図５】図５は、第２の実施形態に係る細長の八角形状の表示領域を備えた表示装置の画素配置を説明するための図である。
【図６】図６は、第３の実施形態に係る表示装置の表示領域の配線パターンを説明するための図である。
【図７】図７は、第４の実施形態に係る表示装置を説明するための図である。
【図８】図８（ａ）は、表示装置の表示画面に表示される画像であり、図８（ｂ）は、図８（ａ）の画像を配線パターンに合わせて変換した画像を示す。
【図９】図９は、本実施形態の表示装置の画素配置変換部の概要を説明するための図である。
【図１０】図１０は、データドライバのブロック図である。
【図１１】図１１は、走査線と信号線とが複数の異なる角度で斜交する表示装置の構成例を示す図である。
【図１２】図１２は、走査線と信号線とが複数の異なる角度で斜交する表示装置の構成例を示す図である。
【図１３】図１３は、第７の実施形態を説明するための表示体の表示領域の模式図である。
【図１４】図１４は、一画面分の画像データの配置例を示したものである。
【図１５】図１５は、第１のアドレスと第２のアドレスの対応を示す図である。
【図１６】図１６は、第１のアドレスと第２のアドレスの対応を示す図である。
【図１７】図１７は、第８の実施形態における表示装置の一部を示すブロック図である。
【図１８】図１８は、アドレス切替部の詳細構成の一例と記憶部を示すブロック図である。
【図１９】図１９は、電子機器の例を示す概略斜視図である。
【符号の説明】
【００９５】
１０  表示領域、１０ａ  直交領域、１０ｂ  斜交領域、１２  データドライバ、１４  ゲートドライバ、１４ａ，１４ｂ  ゲートドライバ、１６  パネルコントロール回路、１８  配線、２０  信号線、２２  走査線、２４  単位画素、２５  画素駆動回路、２６  薄膜トランジスタ、２８  保持容量、３０  電気泳動表示素子、３２  画素電極、３４  共通電極、３５  電気泳動層、３６  マイクロカプセル、３７  分散媒、３８ａ  電気泳動粒子、３８ｂ  電気泳動粒子、４０  画素電極、４０ａ  画素、４０ｂ  画素、４０ｃ  画素、５０  画素配置変換部、５２  第１のアドレス出力部、５３  第２のアドレス出力部、５４  データ書込部、５５  メモリ部、５６  データ読出部、５８  タイミングジェネレータ、１２１  シフトレジスタ、１２２  第１ラッチ回路、１２３  第２ラッチ回路、１２４  変換回路５１０  腕時計、５１１  表示部、５３０  携帯電話、５３１  アンテナ部５３２  音声出力部、５３３  音声入力部、５３４  操作部、５３５  表示部
【図１】
2008046598.tif 000003
【図２】
2008046598.tif 000004
【図３】
2008046598.tif 000005
【図４】
2008046598.tif 000006
【図５】
2008046598.tif 000007
【図６】
2008046598.tif 000008
【図７】
2008046598.tif 000009
【図８】
2008046598.tif 000010
【図９】
2008046598.tif 000011
【図１０】
2008046598.tif 000012
【図１１】
2008046598.tif 000013
【図１２】
2008046598.tif 000014
【図１３】
2008046598.tif 000015
【図１４】
2008046598.tif 000016
【図１５】
2008046598.tif 000017
【図１６】
2008046598.tif 000018
【図１７】
2008046598.tif 000019
【図１８】
2008046598.tif 000020
【図１９】
2008046598.tif 000021